(57)【特許請求の範囲】
【請求項１】
筒状で変形自在な伸縮体と、弾性を有し前記伸縮体の長手方向に沿って配設された線状体と、筒状で前記伸縮体の一端部に接続された専管体と、筒状で前記専管体の反伸縮体側の端部に接続され使用者がくわえて空気を吹き込む口吹体と、を備え、前記口吹体から空気を吹き込むと前記伸縮体が伸び、空気を吹き込まない状態では、前記線状体の弾性力によって前記伸縮体が渦巻状に巻かれる吹き戻しであって、
前記線状体の断面が横長形状で、横面が前記伸縮体に沿うように前記線状体が配設されている、
ことを特徴とする吹き戻し。
【請求項２】
前記線状体の断面は、円形を上下から潰した形状となっている、
ことを特徴とする請求項１に記載の吹き戻し。
【発明の詳細な説明】
【技術分野】
【０００１】
この発明は、吹き戻しに関し、特に、健康促進や治療、美容などの目的に利用可能な吹き戻しに関する。
【背景技術】
【０００２】
吹き戻しは、古くから吹き戻し玩具として知られている。この吹き戻しは、筒状の伸縮体（袋状部）の長手方向に沿って線状のバネ材が配設され、伸縮体の一端部から空気を吹き込むと伸縮体が伸び、空気を吹き込まない状態では、バネ材の弾性力によって伸縮体が渦巻状に巻かれるものである。
【０００３】
このような吹き戻しは、従来、主に子供の玩具として使用されていたが、健康促進や治療、美容などの目的に利用可能な吹き戻しが知られている（例えば、特許文献１参照。）。この吹き戻しは、抗菌性の柔軟材料から形成されたマウスピースを、吹き込み部に着脱自在に備えることで、長期間の繰り返し使用によっても衛生状態を良好に保ち得るものである。
【先行技術文献】
【特許文献】
【０００４】
【特許文献１】実用新案登録第３１３７９４４号公報
【発明の概要】
【発明が解決しようとする課題】
【０００５】
ところで、従来のバネ材には、断面が円形の（丸い）金属線が使用されていた。このため、従来の吹き戻しでは、耐久性が低く繰り返し使用することで劣化が生じ、適正に使用できなくなる場合があった。すなわち、伸縮体およびバネ材が繰り返し伸縮することでバネ材の弾性がへたって劣化し、伸縮体が適正に渦巻状に巻き戻らなくなる場合があった。
【０００６】
この結果、適正な所定の呼気力（吐く力）や呼気量（吐く量）で伸縮体を伸ばすことができなくなり、吹き戻しを使用することによる運動効果（健康促進効果や美容改善効果など）が適正に得られないおそれがあった。殊に、最近の新型コロナの流行下においては、室内にいることが多くなり、従って、室内で運動ができる吹き戻しの使用頻度も多くなっていることから、吹き戻しをより永く適正に使用できることが望まれている。
【０００７】
そこでこの発明は、より永く適正に使用可能な吹き戻しを提供することを目的とする。
【課題を解決するための手段】
【０００８】
上記課題を解決するために、請求項１の発明は、筒状で変形自在な伸縮体と、弾性を有し前記伸縮体の長手方向に沿って配設された線状体と、筒状で前記伸縮体の一端部に接続された専管体と、筒状で前記専管体の反伸縮体側の端部に接続され使用者がくわえて空気を吹き込む口吹体と、を備え、前記口吹体から空気を吹き込むと前記伸縮体が伸び、空気を吹き込まない状態では、前記線状体の弾性力によって前記伸縮体が渦巻状に巻かれる吹き戻しであって、前記線状体の断面が横長形状で、横面が前記伸縮体に沿うように前記線状体が配設されている、ことを特徴とする。
【０００９】
請求項２の発明は、請求項１に記載の吹き戻しにおいて、前記線状体の断面は、円形を上下から潰した形状となっている、ことを特徴とする。
【発明の効果】
【００１０】
請求項１の発明によれば、線状体の断面が横長形状で、横面が伸縮体に沿うように線状体が配設されているため、より永く適正に使用することが可能となる。すなわち、断面が横長の線状体が、横面が伸縮体に沿い伸縮体の長手方向に沿って配設されているため、耐久性、安定性が向上して、ぜんまいバネのように継続的に安定して延びたり巻き戻ったりする。このため、伸縮体および線状体を繰り返し伸縮させたとしても、線状体がへたって劣化することが軽減され、より永く安定して適正に使用することが可能となる。
【００１１】
例えば、本願発明者の実験によれば、１日に複数回使用する（伸縮させる）場合、線状体の断面が円形の従来の吹き戻しでは、２、３日で劣化してしまうのに対して、本吹き戻しでは、１週間使用しても劣化しない（安定して適正な形状に延びて巻き戻る）ことが確認された。そして、このように耐久性、安定性が向上するため、適正な所定の呼気力や呼気量で伸縮体を繰り返し伸縮させることができ、吹き戻しを使用することによる運動効果（健康促進効果や美容改善効果など）を永く適正に維持することが可能となる。
【００１２】
しかも、線状体の断面が横長形状であればよいため、容易かつ低コストで吹き戻しの寿命を延ばすことが可能となる。また、線状体の断面が横長形状であるため、万一使用者が線状体の先端に接触したとしても、使用者が負傷するのを軽減することが可能で、安全性が向上する。
【００１３】
請求項２の発明によれば、線状体の断面が、円形を上下から潰した形状となっているだけの単純な形状のため、容易かつ低コストで線状体および吹き戻しを製作することが可能となる。例えば、断面が円形の線材を上下から潰すだけで、線状体を製作することが可能となる。
【図面の簡単な説明】
【００１４】
【図１】この発明の実施の形態に係る吹き戻しを示す平面図である。
【図２】図１の吹き戻しの正面図である。
【図３】図１の吹き戻しの伸縮体が伸びた状態を示す平面図である。
【図４】図１の吹き戻しの線状体の配設状態を示す図である。
【図５】図１の吹き戻しの線状体の元の線材を示す断面図（ａ）と、線状体の断面図（ｂ）である。
【図６】図１の吹き戻しの伸縮体と専管体を分離した状態を示す平面図である。
【図７】図１の吹き戻しの口吹体を示す断面図である。
【発明を実施するための形態】
【００１５】
以下、この発明を図示の実施の形態に基づいて説明する。
【００１６】
図１、図２は、この発明の実施の形態に係る吹き戻し１の伸縮体２が収縮した状態を示す平面図と正面図である。この吹き戻し１は、特に、健康促進や治療、美容などの目的に利用可能な吹き戻しであり、主として、伸縮体２と、線状体３と、専管体４と、口吹体５と、を備える。
【００１７】
伸縮体２は、筒状で変形自在な袋状部であり、所定の厚み、強度、密度（単位面積当たりの重量）、耐久性などの材質（特性）を有する紙材等を、素材として構成されている。この伸縮体２は、図３に示すように、空気が吹き込まれて膨らんだ状態で、断面が略円形となり、その内径が専管体４の外径よりもやや大きくなるように設定されている。このような伸縮体２は、後述するように、略長方形のシート状の第１の素材２１を折り曲げることで、筒状に形成されている。
【００１８】
また、伸縮体２の長さ（専管体４が挿入された部分を除く長さ）は、健康促進や治療、美容等の吹き戻し１の使用目的や、使用者の口腔機能状態や体調等の使用者状況などに応じて設定されている。すなわち、伸縮体２を全長にわたって伸ばすのに要する空気量・呼気量が、使用目的や使用者状況などに応じて予め設定された適正空気量になるように、伸縮体２の長さが設定されている。
【００１９】
線状体３は、弾性を有し伸縮体２の長手方向に沿って真っ直ぐに配設された線材・バネ材である。すなわち、ステンレス製の針金で構成され、外力を加えない状態（伸縮体２に空気を吹き込まない状態）では、渦巻状・コイル状に巻かれ、真っ直ぐに伸ばして外力を解除すると、渦巻状に戻ろうとする弾性力が作用するものであり、その弾性力・弾性係数は、所定の値に設定されている。すなわち、伸縮体２を伸ばすのに要する必要呼気力が、使用目的や使用者状況などに応じて設定された適正値になるように、換言すると、口吹体５から空気を吹き込む力（呼気力・呼気圧）が適正値（所定値）以上でないと伸縮体２が伸びないように、弾性力が所定値に設定されている。
【００２０】
ここで、例えば、健康促進を目的する場合であっても、使用者の口腔機能状態や体調、年齢等に応じて、低い順にレベル０、レベル１、レベル２などの異なる適正値が設定される場合がある。つまり、使用目的や使用者状況などに応じて、吹き込む力（呼気圧）の適正値が細かく設定されている。
【００２１】
また、１つの線状体３では所定値の弾性力を正確に得られない場合や、複数の線状体３によって所定値の弾性力をより正確かつ容易に得られる場合には、複数の線状体３が配設されている。すなわち、複数の線状体３が配設されることで、口吹体５から空気を吹き込む力が適正値（所定値）以上でないと、伸縮体２が伸びないようになっている。例えば、レベル１に対しては、所定値の弾性力の線状体３が１つ配設され、レベル２に対しては、同所定値の弾性力の線状体３が２つ配設されている。
【００２２】
このような線状体３の断面形状（長手方向に直交する断面での形状）は、図４に示すように、横長形状（横に長い扁平形、略長方形）となっている。具体的には、円形を上下から潰した断面形状となっている。すなわち、図５（ａ）に示すような断面が略円形の針金・線材３０を上下から潰した、図５（ｂ）に示すような横長形状となっており、上下の横面３１、３１が平行に横に延び、左右の縦面３２が円弧状になっている。このような断面形状により、線状体３は、全体が細長い帯状（ぜんまいバネ状）に形成されている。また、この断面形状で、上記の弾性力・弾性係数が得られるようになっている。
【００２３】
そして、伸縮体２が渦巻状に巻かれる内輪側に、横面３１が伸縮体２に沿うように、線状体３が伸縮体２内に収容、配設されている。すなわち、図４に示すように、伸縮体２は、略長方形の第１の素材２１と帯状の第２の素材２２とから構成され、第１の素材２１の一端部２１ａが上側に位置するように、一端部２１ａと他端部２１ｂとを重ねて筒状とされている。そして、一端部２１ａと他端部２１ｂとが重なる重なり部２１ｃの表面側（外面側）に、横面３１が沿うように線状体３が配置された状態で、第２の素材２２が重なり部２１ｃの表面全体を覆うようにして第１の素材２１に接着・接続されることで、線状体３が伸縮体２に一体的に配設されている。
【００２４】
このように、第１の素材２１の一端部２１ａと他端部２１ｂとの重なり部２１ｃの上に線状体３が配置され、さらに、線状体３の上から第２の素材２２が配置されているため、線状体３が２つの素材２１、２２で強固に挟持、保持された状態となる。この結果、線状体３が伸縮体２と強固に一体的となっている。ここで、図４では、１つの線状体３が配設されている場合を示しているが、線状体３の配設数は、上記のように設定される。
【００２５】
専管体４は、筒状で伸縮体２の一端部に接続された専管部である。すなわち、所定の材質を有する紙材等で構成された円筒体で、図６に示すように、その一端部が伸縮体２の一端部内に挿入されて、図１に示すように、ビニルテープ６などで接続されている。この専管体４の内径と長さは、使用者が容易に持つことができ、かつ、口吹体５から伸縮体２に空気を吹き込みやすいように設定されている。
【００２６】
口吹体５は、筒状で専管体４の反伸縮体２側の端部（他端部）に接続され、使用者が口にくわえて空気を吹き込む口吹部である。すなわち、樹脂製で、図７に示すように、第１の胴部５１と、第２の胴部５２と、第３の胴部５３と、を備え、第１の胴部５１は、一端側・自由端側がやや細い円筒状（円錐台形の筒体）となっている。第２の胴部５２は、第１の胴部５１の他端部側に設けられ、内径および外径が第１の胴部５１のそれよりもやや大きく設定されている。第３の胴部５３は、第２の胴部５２の反第１の胴部５１側に設けられ、内径および外径が第２の胴部５２のそれよりもやや大きく設定されている。
【００２７】
そして、専管体４の他端部が第３の胴部５３内に挿入・圧入されることで、口吹体５が専管体４に接続されている。この際、専管体４の他端縁が、第３の胴部５３の内段差部５３１（第２の胴部５２と第３の胴部５３による内側の段差部）に当接する。このような口吹体５は、抗菌加工が施され、長期間繰り返し使用しても衛生状態を良好に維持できるようになっている。このため、例えば、伸縮体２が劣化した場合に、専管体４から口吹体５を抜き取って、口吹体５を伸縮体２が付いた新たな専管体４に取り付けて、口吹体５を再利用することも可能となっている。
【００２８】
このような構成の吹き戻し１では、使用者が口吹体５から空気を吹き込むと、図３に示すように、空気が伸縮体２に流入して伸縮体２が伸び、空気を吹き込まない状態では、図１、図２に示すように、線状体３の弾性力によって伸縮体２が渦巻状に巻き戻る。この際、口吹体５から空気を吹き込む力（呼気力・呼気圧）が、使用目的や使用者状況などに応じて設定された適正値（所定値）以上でないと、伸縮体２が伸び続けていかず、また、使用目的や使用者状況などに応じて予め設定された空気量だけ吹き込まないと、伸縮体２が全長にわたって伸びない。従って、このような吹き戻し１を使用して伸縮体２の伸縮（吹き戻し）を繰り返すことで、使用目的や使用者状況などに応じた適正な呼気力および呼気量での運動、訓練が行えるものである。
【００２９】
以上のように、この吹き戻し１によれば、線状体３の断面が横長形状で、横面３１が伸縮体２に沿うように線状体３が配設されているため、より永く適正に使用することが可能となる。すなわち、断面が横長の線状体３が、横面３１が伸縮体２に沿い伸縮体２の長手方向に沿って配設されているため、耐久性、安定性が向上して、ぜんまいバネのように継続的に安定して延びたり巻き戻ったりする。このため、伸縮体２および線状体３を繰り返し伸縮させたとしても、線状体３がへたって劣化することが軽減され、より永く安定して適正に使用することが可能となる。
【００３０】
例えば、本願発明者の実験によれば、１日に複数回使用する（伸縮させる）場合、線状体の断面が円形の従来の吹き戻しでは、２、３日で劣化してしまうのに対して、本吹き戻し１では、１週間使用しても劣化しない（安定して適正な形状に延びて巻き戻る）ことが確認された。そして、このように耐久性、安定性が向上するため、適正な所定の呼気力や呼気量で伸縮体２を繰り返し伸縮させることができ、吹き戻し１を使用することによる運動効果（健康促進効果や美容改善効果など）を永く適正に維持することが可能となる。
【００３１】
しかも、線状体３の断面が横長形状であればよいため、容易かつ低コストで吹き戻し１の寿命を延ばすことが可能となる。また、線状体３の断面が横長形状であるため、万一使用者が線状体３の先端に接触したとしても、使用者が負傷するのを軽減することが可能で、安全性が向上する。
【００３２】
さらに、線状体３の断面が、円形を上下から潰した形状となっているだけの単純な形状のため、容易かつ低コストで線状体３および吹き戻し１を製作することが可能となる。例えば、断面が円形の線材３０を上下から潰すだけで、線状体３を製作することが可能となる。
【００３３】
また、断面が円形の１種類の針金・線材３０を使用して、弾性力・弾性係数が異なる複数の線状体３、つまり、必要呼気力が異なる複数の吹き戻し１を製作することが可能となる。すなわち、外径が異なる複数の線材３０を使用しなくても、線材３０を上下から潰すだけで、線材３０そのままの弾性力・必要呼気力とは異なる線状体３・吹き戻し１を製作することでき、製作の柔軟性が高まる。しかも、線材３０を上下から潰す量（線状体３の横面３１間の高さ）を変えるだけで、弾性力・必要呼気力が異なる複数の線状体３・吹き戻し１を製作することができ、利便性、柔軟性が向上する。
【００３４】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、１つの専管体４に対して１つの伸縮体２を設けているが、吹き戻し１の使用目的や使用者状況などに応じて、１つの専管体４に対して複数の伸縮体２を設けてもよい。
【００３５】
また、専管体４と口吹体５とが別体の場合について説明したが、専管体４に口吹体５が一体的に設けられたものであってもよい。さらに、伸縮体２に目盛を付けて、どのくらい伸縮体２を伸ばせるかを目視で容易に確認できるようにしてもよい。
【符号の説明】
【００３６】
１        吹き戻し
２        伸縮体
２１      第１の素材
２１ａ    一端部
２１ｂ    他端部
２１ｃ    重なり部
２２      第２の素材
３        線状体
３１      横面
４        専管体
５        口吹体
６        ビニルテープ
【要約】
【課題】より永く適正に使用可能な吹き戻しを提供する。
【解決手段】筒状で変形自在な伸縮体２と、弾性を有し伸縮体２の長手方向に沿って配設された線状体３と、筒状で伸縮体２の一端部に接続された専管体４と、筒状で専管体４の反伸縮体２側の端部に接続され使用者がくわえて空気を吹き込む口吹体５と、を備え、口吹体５から空気を吹き込むと伸縮体２が伸び、空気を吹き込まない状態では、線状体３の弾性力によって伸縮体２が渦巻状に巻かれる吹き戻し１であって、線状体３の断面が横長形状で、横面が伸縮体２に沿うように線状体３が配設されている。
【選択図】図１【図１】
0006966820.tif 000002
【図２】
0006966820.tif 000003
【図３】
0006966820.tif 000004
【図４】
0006966820.tif 000005
【図５】
0006966820.tif 000006
【図６】
0006966820.tif 000007
【図７】
0006966820.tif 000008